(57)【要約】【課題】蓋体によって作業性が損なわれることのない手袋装着装置を得る。【解決手段】上部に、使用者の手先が通過可能な挿入開口が形成され得る箱体２０と、この箱体２０内において、手指を通すための開口部を上側にして整列された複数の手袋１０を吊り下げ保持する手袋保持手段とを備えてなる手袋装着装置１において、箱体２０が、前面が開口２１Ｆを有するように開かれた形状を有し内部に手袋保持手段が取り付けられる箱本体２１と、箱本体２１の前面を開閉するために上部が前後方向に動くように揺動自在に箱本体２１と組み合された蓋体２２とから構成されている。【選択図】図１
0003207924.tif 000002
【実用新案登録請求の範囲】
【請求項１】
上部（上、下は装置使用状態下における鉛直方向の上、下）に、使用者の手先が通過可能な挿入開口が形成され得る箱体と、
この箱体内において、手指を通すための開口部を上側にして整列された複数の手袋を吊り下げ保持する手袋保持手段とを備えてなる手袋装着装置であって、
前記箱体が、前面が開かれた形状を有し内部に前記手袋保持手段が取り付けられる箱本体と、前記前面を開閉するために上部が前後方向に動くように揺動自在に前記箱本体と組み合された蓋体とから構成されていることを特徴とする手袋装着装置。
【請求項２】
前記箱本体が、左右両側板のそれぞれに、各々側外方に延び、互いに上下方向に離して固定された上側ピンおよび下側ピンを有し、
前記蓋体が左右両側板のそれぞれに、前記上側ピンを収容してこの上側ピンと協働して該蓋体の前記揺動を案内する、前後方向に延びた案内溝と、この案内溝よりも下方において前記下側ピンを収容してこの下側ピンと協働して該蓋体の前後方向の移動を規制する保持溝とを有する請求項１記載の手袋装着装置。
【請求項３】
前記案内溝が、前端が微小長さ上向きに曲がり、蓋体が前記箱本体の前面を閉じる揺動位置である閉位置に有るとき、前記上側ピンをこの前端に誘い込んで蓋体を下降させる形状とされ、
前記保持溝が、前記蓋体の下降を許容するように上下方向に延びた形状とされている請求項２記載の手袋装着装置。
【請求項４】
前記案内溝の後端が前記保持溝の上端と繋がっており、前記保持溝の下端が前記蓋体の側板の端面に開口している請求項２または３記載の手袋装着装置。
【考案の詳細な説明】
【技術分野】
【０００１】
本考案は、使用者の手指に手袋を装着するための装置に関するものである。
【背景技術】
【０００２】
従来、例えば特許文献１に示されるように、それぞれがシート材からなる掌側部分および甲側部分が、手指を挿入するための開口部を除く縁部において互いに接合されてなる簡易型の手袋が知られている。この種の手袋は、食品加工の現場等において広範に利用されている。
【０００３】
ところで、近時、ノロウィルスによる食中毒が多く発生しており、手袋に付着したウィルスが食中毒の原因となることも多く報告されている。つまり、食品の汚染を防止する目的で上述のような手袋を使用していても、何らかの原因で手袋の外面にウィルスが付着し、それが感染源となってしまうのである。
【０００４】
そのような事態の発生を防止する上では、手袋を使用者の手指に装着する際にも、手袋の外面には手で接触しないで装着可能であることが望まれる。特許文献１には、そのような目的を達成できる手袋装着装置も開示されている。
【０００５】
特許文献１に示された手袋装着装置は、上記目的を達成する上で極めて有効なものであるが、コストダウンの点で改善の余地が残されている。
【０００６】
他方、特許文献２には、上面の少なくとも一部に、使用者の手先が通過可能な挿入開口が形成された箱体と、この箱体内において、手指を通すための開口部を上側にして整列された複数の手袋を吊り下げ保持する手袋保持手段とを備えてなる手袋装着装置が開示されている。この特許文献２に示された手袋装着装置は構成が簡単で、低コストで作製できるものとなっている。
【先行技術文献】
【特許文献】
【０００７】
【特許文献１】再公表特許公報03/073879号
【特許文献２】実用新案登録第3190299号公報
【考案の概要】
【考案が解決しようとする課題】
【０００８】
特許文献２に示された手袋装着装置において、箱体の上面に形成された挿入開口は、上方に跳ね上がるように揺動する蓋体によって開閉されるようになっている。そのような構成の手袋装着装置において、箱体内の手袋保持手段に複数の手袋を吊り下げ保持させる作業や、使用者の手指に手袋を装着する操作は、蓋体を上方に跳ね上げて挿入開口を開いた状態で行われる。しかし、蓋体が上方に跳ね上げられた状態になっていると、蓋体が邪魔になって上記の作業や操作が行い難くなることもある。この問題は、特に挿入開口が大きくて、蓋体のサイズが大きい場合に顕著となる。
【０００９】
本考案は上記の事情に鑑みてなされたものであり、蓋体によって作業性が損なわれることのない手袋装着装置を提供することを目的とする。
【課題を解決するための手段】
【００１０】
本考案による手袋装着装置は、
上部に、使用者の手先が通過可能な挿入開口が形成され得る箱体と、
この箱体内において、手指を通すための開口部を上側にして整列された複数の手袋を吊り下げ保持する手袋保持手段とを備えてなる手袋装着装置であって、
前記箱体が、前面が開かれた形状を有し内部に前記手袋保持手段が取り付けられる箱本体と、前記前面を開閉するために上部が前後方向に動くように揺動自在に前記箱本体と組み合された蓋体とから構成されていることを特徴とするものである。
【００１１】
なお、以上の説明における「上」および「下」は、装置使用状態下における鉛直方向の上、下を意味する。
【００１２】
また、上記の「前後方向」とは、複数の手袋の整列方向を意味する。
【００１３】
また、箱本体の「前面」とは、複数の手袋の整列方向内で、蓋体と向かい合う側の面を意味する。
【００１４】
本考案の手袋装着装置の好ましい実施形態においては、
箱本体が、左右両側板のそれぞれに、各々側外方に延び、互いに上下方向に離して固定された上側ピンおよび下側ピンを有し、
蓋体が左右両側板のそれぞれに、上側ピンを収容してこの上側ピンと協働して該蓋体の前記揺動を案内する、前後方向に延びた案内溝と、この案内溝よりも下方において前記下側ピンを収容してこの下側ピンと協働して該蓋体の前後方向の移動を規制する保持溝とを有する。
【００１５】
なお、上記上側ピンおよび下側ピンはそれぞれ、箱本体の左右両側板の外面に固定されてもよいし、あるいは内面に固定されてもよい。
【００１６】
また、上述のように上側ピンおよび下側ピンが互いに「上下方向」に離して固定されるとは、鉛直方向に離して固定されることに限るものではなく、それら両者が相対的に上側、下側に離して固定されることを意味する。
【００１７】
また、「蓋体の左右両側板のそれぞれにピン係合溝を有する」とは、本来の側板にピン係合溝を有することだけでなく、ピン係合溝を有する板部材を本来の側板に付加する構成も含むものとする。
【００１８】
なお、上記の案内溝は、前端が微小長さ上向きに曲がり、蓋体が前記箱本体の前面を閉じる揺動位置である閉位置に有るとき、前記上側ピンをこの前端に誘い込んで蓋体を下降させる形状とされ、それに対応して保持溝は、蓋体の下降を許容するように上下方向に延びた形状とされる。
【００１９】
上記「微小長さ」は、一般には、上側ピンの差し渡し寸法をＤとして、０．５Ｄ〜Ｄの範囲にあることが望ましい。
【００２０】
また、案内溝の端部が上側ピンを誘い込んで「蓋体を下方に降下させる」とは、上側ピンがその端部に入る直前の蓋体の高さ位置よりも低い位置に行く、ということを意味する。
【００２１】
なお、上記案内溝および保持溝を有する構成においては、案内溝の後端が保持溝の上端と繋がっており、保持溝の下端が蓋体の側板の端面に開口していることが望ましい。
【００２２】
また、本考案の手袋装着装置の別の態様においては、蓋体と箱本体とが折り曲げ部を介して繋がり、蓋体が折り曲げ部を軸として揺動自在とされる。
【考案の効果】
【００２３】
以上の通り、本考案の手袋装着装置においては、蓋体および箱本体の上部に、使用者の手先を通すための開口を形成するために、蓋体を揺動させるようにしている。そうであれば、従来装置のように跳ね上げ型の蓋体を操作して上記開口を形成する場合と異なって、跳ね上げ型の蓋体が邪魔になるようなことがない。また、そのような跳ね上げ型の蓋体が存在するために、手袋装着装置１の清掃等のメンテナンス作業が複雑化することも防止できる。
【図面の簡単な説明】
【００２４】
【図１】本考案の第１実施形態による手袋装着装置を示す斜視図
【図２】上記手袋装着装置の要部を示す一部破断側面図
【図３】上記手袋装着装置の要部を示す斜視図
【図４】上記手袋装着装置に用いられる手袋を示す正面図
【図５】上記手袋装着装置を用いて手袋を装着する様子を示す斜視図
【図６】上記手袋の利用例を示す概略図
【図７】上記手袋装着装置において蓋体が開位置にある状態を示す側面図
【図８】上記手袋装着装置において蓋体が開位置と閉位置との中間位置にある状態を示す側面図
【図９】上記手袋装着装置において蓋体が閉位置にある状態を示す側面図
【図１０】上記手袋装着装置におけるピン係合孔の形状を詳しく示す側面図
【図１１】本考案の第２実施形態による手袋装着装置を示す斜視図
【図１２】第１実施形態の手袋装着装置におけるピン係合溝の変形例を示す側面図
【図１３】第１実施形態の手袋装着装置におけるピン係合溝の別の変形例を示す側面図
【考案を実施するための形態】
【００２５】
以下、図面を参照して本考案の実施の形態を詳細に説明する。図１は、本考案の第１実施形態による手袋装着装置１の斜視形状を示すものである。また図２はこの手袋装着装置１の上部の側面形状を示しており、図３はこの手袋装着装置１に適用された手袋保持手段３０の斜視形状を示している。
【００２６】
これらの図に示される通り手袋装着装置１は、整列された複数の手袋１０を内部に収容する箱体２０と、この箱体２０内で手袋１０を吊り下げ保持する手袋保持手段３０と、複数の手袋１０を後述するように付勢する付勢手段４０とを備えて構成されている。なお図２は、手袋保持手段３０および、その周辺部分の側面形状を示している。
【００２７】
本実施形態の手袋装着装置１によって取り扱われる手袋１０は図４に示す通り、それぞれが薄いシート材からなる手袋部分である掌側部分１１および甲側部分１２が、手指を挿入するための開口部１３を除く縁部において互いに接合されてなるものである。なお、上記シート材としては、例えばある程度の伸縮性を有してエンボス加工されたポリエチレンシートが好適に用いられる。しかし、それに限らず手袋１０としては、その他のシート材を用いて形成されたものも適用可能である。このような手袋１０は、手袋装着装置１にセットするに当たっては、多数枚が整列積層した状態で取り扱われる。
【００２８】
上記開口部１３は、掌側部分１１の端縁部１１ａと、甲側部分１２の端縁部１２ａとにより、袋の入り口状に形成されたものである。ここで掌側部分１１の端縁部１１ａは、甲側部分１２の端縁部１２ａよりも指側、つまり手袋１０の先端側に偏位した状態とされている。
【００２９】
上述のように端縁部１１ａと端縁部１２ａとが偏位していることにより、それらが揃っている場合と異なって、掌側部分１１と甲側部分１２とが密着している状態から、開口部１３を容易に開かせることが可能になっている。つまり、例えば使用者が、爪が甲側部分１２の内面に接する状態として指先を手袋先端側に向けて滑らせると、爪の有る指先が掌側部分１１の端縁部１１ａを拡げることにより、開口部１３が簡単に開くようになる。したがって、使用者がそのまま手先を手袋先端側に下ろせば、その手指が円滑に手袋１０内に入り込む。
【００３０】
また、前述したように、手袋１０がエンボス加工されたシート材から形成されている場合は、掌側部分１１と甲側部分１２とが密着せず、それら両者の間に隙間ができやすいので、開口部１３はさらに簡単に開くようになる。
【００３１】
上記甲側部分１２には、端縁部１２ａの内側、つまり該端縁部１２ａと端縁部１１ａとの間において、例えば２つの小さな貫通孔１２ｂが穿設されている。これらの貫通孔１２ｂは、後述するように手袋１０を吊り下げ保持するためのものである。
【００３２】
ここで、図４に示す手袋１０の詳しい形状を、要部の寸法例も挙げた上で説明する。なお、以下の数値はあくまでも一例であり、それら以外の寸法が採用されてもよいことは勿論である。まず、開口部１３の幅Ｗ１＝１３０ｍｍ、２つの貫通孔１２ｂの中心間距離Ｗ２＝７０ｍｍ、端縁部１２ａと端縁部１１ａとの間の距離Ｈ１＝２８ｍｍ、端縁部１２ａから貫通孔１２ｂの中心までの距離Ｈ２＝１７ｍｍである。
【００３３】
手袋１０は、それぞれに使用者の指が挿入される親指部１０Ｐ、人差指部１０Ｉ、中指部１０Ｍ、薬指部１０Ａおよび小指部１０ＣＨの５本の指部を有している。それらの指部１０Ｐ〜１０ＣＨのうち、隣り合う２つの指部の間には、親指部１０Ｐ側から順に谷部Ｖ１、Ｖ２、Ｖ３およびＶ４が形成されている。
【００３４】
上記親指部１０Ｐは、従来の一般的な手袋におけるよりもずっと人差指部１０Ｉに近い位置に形成されている。この点を具体的に、親指部１０Ｐと人差指部１０Ｉの間の谷部Ｖ１の位置と、薬指部１０Ａと小指部１０ＣＨの間の谷部Ｖ４の位置に基づいて説明する。なお、ここで説明する谷部の位置とは、手袋長手方向の位置つまり中指部１０Ｍが延びる方向（図４内の中心線ＣＬに沿った方向）に関する位置である。中指部１０Ｍの先端から上記２つの谷部Ｖ１、Ｖ４までの距離Ｌ１、Ｌ２は、Ｌ１＝１３０ｍｍ、Ｌ２＝１２５ｍｍである。つまり、これらの谷部Ｖ１、Ｖ４の、手袋長手方向に関する位置の偏位量は５ｍｍとなっている。
【００３５】
次に、上記偏位量と中指部１０Ｍの全長との関係を説明する。本実施形態では、中指部１０Ｍの両側の谷部Ｖ３およびＶ２は、手袋長手方向に関して異なる位置にある。つまり、中指部１０Ｍの先端から谷部Ｖ３、Ｖ２までの距離Ｌ３、Ｌ４は、Ｌ３＝７７ｍｍ、Ｌ４＝８２ｍｍである。このような場合は、中指部１０Ｍの先端から深い方の谷部Ｖ２までの距離Ｌ４＝８２ｍｍを、中指部１０Ｍの全長とする。したがって、中指部１０Ｍの全長に対する上記偏位量の比率（Ｌ１−Ｌ２）／Ｌ４は、５／８２＝０．０６１、すなわち６．１％である。
【００３６】
以上のように本例では、親指部１０Ｐと人差指部１０Ｉの間の谷部Ｖ１と、薬指部１０Ａと小指部１０ＣＨの間の谷部Ｖ４の手袋長手方向に関する位置の偏位量（Ｌ１−Ｌ２）が、中指部１０Ｍの全長Ｌ４の例えば１５％以下とされている。
【００３７】
本例の手袋１０においては、図４に示される通り、掌側部分１１を手前側、甲側部分１２を奥側に配した状態で親指部１０Ｐが最も左側に、小指部１０ＣＨが最も右側に位置しており、そして親指部１０Ｐと人差指部１０Ｉの間の谷部Ｖ１は、薬指部１０Ａと小指部１０ＣＨの間の谷部Ｖ４よりも開口部１３に近い位置にある。つまりこの手袋１０は、本来、左手よりも右手に良く適合する形状とされたものである。
【００３８】
箱体２０は、例えばステンレス鋼等からなる金属板を用いて、概略直方体の箱状に形成されたものである。この箱体２０は、後述する手袋保持手段３０が内部に取り付けられた箱本体２１と、蓋体２２とから構成されている。箱本体２１は、左右一対の側板２１ａ、それらの上端同士を繋ぐ上板２１ｂ、側板２１ａの下端同士を繋ぐ底板２１ｃ、および背板２１ｄから構成されており、その前面は大きく開かれて開口２１Ｆが形成されている。背板２１ｄの上部は、上板２１ｂよりも高い位置まで延ばされ、その部分には一例として２個の吊り下げ用孔２１ｆが設けられている。
【００３９】
一方蓋体２２は、左右一対の側板２２ａ、それらの上端同士を繋ぐ上板２２ｂ、および背板２２ｄから構成されている。この蓋体２２の前面（箱本体２１側の面）は大きく開かれており、またその下部も閉じられないで開放されている。
【００４０】
箱本体２１の左右の側板２１ａにはそれぞれ、その外面から外方に突出した、例えば円柱状の上側ピン２１Ｈおよび下側ピン２１Ｌが固定されている。なお図１では、手前側の側板２１ａに固定されたピン２１Ｈおよび２１Ｌだけを示している。これらのピン２１Ｈおよび２１Ｌは、箱体２０を正立させる手袋装着装置１の使用状態下で、箱本体２１の側外方に延びるように、側板２１ａに対して垂直に固定されている。またピン２１Ｈおよび２１Ｌは、同じく手袋装着装置１の使用状態下で、上下方向つまり鉛直方向に互いに離れた状態に固定されている。
【００４１】
これらのピン２１Ｈおよび２１Ｌの固定は、例えば、ピンの基端部をボルト状に加工し、そのボルト状部分を側板２１ａに形成した貫通ネジ孔に螺合させ、側板２１ａの内側に突出した基端部に袋ナットを締結する等の手法によってなされ得る。あるいはそれに限らず、上記ボルト状部分を側板２１ａに螺合させることなく、上記袋ナットを側板２１ａの内面に溶接する、さらには上記袋ナットと同様にピンの基端に形成された大径部を側板２１ａの内面に溶接する、等の公知の手法が用いられてもよい。
【００４２】
一方蓋体２２は、左右一対の側板２２ａ、それらの上端同士を繋ぐ上板２２ｂ、および背板２２ｄから構成されている。この蓋体２２の箱本体２１側の面は開かれており、またその下部は閉じられないで開放されている。蓋体２２の左右の側板２２ａにはそれぞれ、下端近くにおいてピン係合溝２２Ｓが形成されている。なお図１では、手前側の側板２２ａに形成されたピン係合溝２２Ｓだけを示している。
【００４３】
蓋体２２の左右一対の側板２２ａの内面間の寸法は、箱本体２１の左右一対の側板２１ａの外面間の寸法よりもやや大きく設定されている。そこで蓋体２２は、その一対の側板２２ａが箱本体２１の各側板２１ａの上に位置するようにして、箱本体２１に緊密に組み合わされる。その際、蓋体２２に形成されているピン係合溝２２Ｓは、箱本体２１の上側ピン２１Ｈおよび下側ピン２１Ｌを収容して、それらのピン２１Ｈおよび２１Ｌと係合する。この係合がなされていることにより蓋体２２は、装置使用者の手操作により、箱本体２１と組み合った状態を保ちながら、図１中の矢印Ｒで示す方向に揺動可能となっている。
【００４４】
蓋体２２は上述のように揺動可能であるため、図１に示す揺動位置（開位置）と、箱本体２１の前面の開口２１Ｆを閉じる揺動位置（閉位置）とを取り得る。つまり蓋体２２は、その上部が装置の前後方向、つまり複数の手袋１０の整列方向に動くように揺動可能となっている。蓋体２２が図１に示す開位置に設定されると、この蓋体２２の上部と箱本体２１の上部との間に（具体的には蓋体２２の上板２２ｂと、箱本体２１の上板２１ｂとの間に）、装置使用者の手先が通過可能な挿入開口が形成されることになる。なお、この蓋体２２の揺動については、後に図７〜図１０を参照して詳しく説明するが、蓋体２２の開位置は図７に示された位置であり、そして閉位置は図９に示された位置である。
【００４５】
ここで、上述した複数の手袋１０の整列方向に基づいて説明すると、箱本体２１の開口２１Ｆが設けられた前面とは、この整列方向内で蓋体２２と向かい合う側の面のことである。
【００４６】
次に手袋保持手段３０について、特にその斜視形状を示す図３を参照して説明する。この手袋保持手段３０は、例えば金属製の２本のロッド３１を有している。各ロッド３１の基端部３１ａは固定部材３２に固定され、そしてこの固定部材３２は、その上面３２ａが例えば上板２０ａの下面に接する状態として箱体２０に固定されている。こうして各ロッド３１の基端部３１ａが、箱体２０に取り付けられている。また、各ロッド３１の先端部３１ｂは上向きとされ、この先端部３１ｂと基端部３１ａとの間の中間部３１ｃは横向きに延びる状態とされている。
【００４７】
なお一般には、箱体２０を正立状態に配置したとき、ロッド３１の中間部３１ｃが略水平に延びる状態となっているのが望ましいが、それに限らず、中間部３１ｃが略水平状態から少し傾いて延びる状態となっていても構わない。
【００４８】
複数の手袋１０は、上記２本のロッド３１の各中間部３１ｃを甲側部分１２の貫通孔１２ｂに通すことにより、図１および図２に示すように、ロッド３１に吊り下げ保持される。すなわち、複数の手袋１０を互いに整列積層させると、各手袋１０の貫通孔１２ｂが互いに整合した状態となる。そこで、その状態のまま貫通孔１２ｂの周りの手袋部分を略水平に配し、貫通孔１２ｂに下からロッド先端部３１ｂが挿通するように該手袋部分を下に降ろし、次いで中間部３１ｃ側に案内すれば、整列積層した複数の手袋１０がロッド中間部３１ｃに吊り下げ保持される。
【００４９】
本例では、手袋保持手段３０に付勢手段４０が組み込まれている。この付勢手段４０は図３に示されるように、２本のロッド３１にそれぞれ巻装されたコイルばね４１と、断面Ｌ字形の押し部材４２とから構成されている。押し部材４２は例えば金属、合成樹脂等から形成されて、縦壁部４２ａと、その上端から連なる横壁部４２ｂとを有している。縦壁部４２ａは、そこに穿設されたロッド通過孔４２ｃ内をロッド３１の中間部３１ｃが挿通することにより、この中間部３１ｃに沿って移動可能となっている。
【００５０】
また各コイルばね４１は、その一端、他端がそれぞれ固定部材３２、上記縦壁部４２ａに固定された状態で、それら両者の間に縮装されている。したがって押し部材４２は常時、ロッド３１の先端部３１ｂ側に付勢されている。なお図３では、図示の明瞭化のために、ロッド３１の先端部３１ｂと上記縦壁部４２ａとが離れた状態としているが、実際は、手袋１０が保持されていないとき特に外力を受けなければ、付勢された縦壁部４２ａはロッド先端部３１ｂに当接する位置を取る。
【００５１】
なお手袋保持手段３０においては、一例として、上記押し部材４２はアルマイトを用いて、その他の部分はステンレス鋼を用いて形成される。ただし手袋保持手段３０を構成する各部品は、それ以外の材料から形成されても構わない。
【００５２】
次に、上述の構成を有する手袋装着装置１を用いて行われる手袋装着について説明する。手袋装着を行う前に、予め箱体２０内において、整列積層させた複数の手袋１０が手袋保持手段３０に吊り下げ保持される。その作業は、蓋体２２を前述の開位置に設定し、箱本体２１の前面Ｆを開放させて行われる。図１は、このときの状態を示している。より具体的に手袋１０は、２本のロッド３１の中間部３１ｃに吊り下げ保持されるが、その手袋保持は先に説明した通りにして行われる。またこのとき手袋１０は、掌側部分１１が手前側（図１中の左下側、図２中の左側）で、甲側部分１２が奥側に位置する状態にセットされる。
【００５３】
なお、上述のようにロッド３１の中間部３１ｃに吊り下げ保持された複数の手袋１０は、図３に示したコイルばね４１で付勢された縦壁部４２ａが弾力的に圧接することにより、最も手前側の手袋１０がロッド３１の先端部３１ｂに奥方側から接する状態となる。つまり、複数の手袋１０が何枚であっても、最も手前側の手袋１０はロッド３１の先端部３１ｂに接する定位置を取ることになる。この定位置は、箱本体２１の上板２１ｂの前端（図２中の左端）よりも前側で、かつ上板２１ｂより下方に有って、開位置に設定された蓋体２２と箱本体２１との間を通過した使用者の手指を受け入れ得る位置である。
【００５４】
こうして複数の手袋１０を収容した箱体２０は、箱本体２１の背板２１ｄを室内の壁等に合わせ、その壁等に固定された吊り下げ用フック（図示せず）に背板２１ｄの吊り下げ用孔２１ｆを掛ける等により、正立状態で吊り下げ保持される。あるいは箱体２０は、例えばテーブル等の上に正立状態で載置されてもよい。ここでいう「正立状態」とは、箱本体２１の上板２１ｂおよび底板２１ｃが共に略水平状態で、後者よりも前者の方が鉛直方向上側に位置するようになる位置を意味する。手袋装着装置１の使用時に、箱体２０は一般にこの「正立状態」とされる。箱体２０の吊り下げ高さあるいは載置高さは、蓋体２２が開位置にある箱体２０内に、使用者がその手先を無理なく挿入できるような高さに設定される。
【００５５】
なお、前述のように蓋体２２を開位置に設定して、複数の手袋１０を手袋保持手段３０に吊り下げ保持させた後、直ちに手袋装着を行うのであれば、蓋体２２をそのまま開位置に設定しておいてもよい。それに対して、複数の手袋１０を手袋保持手段３０に吊り下げ保持させた後、時間を置いてから手袋装着を行う場合は、手袋装着を行うまでの間、蓋体２２を閉位置に設定しておくのが望ましい。そのようにすれば、箱体２０内にゴミや埃、さらには細菌やウィルス等が侵入することを防止可能で、手袋１０の衛生状態を良好に維持することができる。
【００５６】
いずれにしても、手袋装着を行うに際しては、蓋体２２が開位置に設定される。その状態下で、使用者は図５に示すように、下向きにした自分の手先Ｈを、開位置に設定されている蓋体２２の上部と箱本体２１の上部との間を通過させて、箱体２０内に挿入させる。そして使用者は、一番手前側に吊り下げ保持されている手袋１０に指先を進入させる。このとき使用者は、掌が手前側つまり自分の側を向くようにして指先を下ろす。つまり図５は、右手に手袋１０を装着する場合の例を示している。こうして、爪の有る指先が甲側部分１２に接する状態にして指先を端縁部１１ａ側に向けて滑らせると、開口部１３が簡単に開いて、手指が円滑に手袋１０内に入り込むことは先に述べた通りである。
【００５７】
手先Ｈを十分に下げて、手指が完全に手袋１０内に入り込むと、シート材からなる手袋１０は手指に密着するようになる。そこで、その状態のまま手先Ｈを引き上げると、甲側部分１２の貫通孔１２ｂの部分がロッド３１の先端部３１ｂから上に抜け出し、手袋１０は手袋保持手段３０から離脱する。こうして作業者は、手袋１０の外面には全く接触することなく、その右手に手袋１０を装着することができる。
【００５８】
以上の通りにして、複数の手袋１０のうち最も手前側の手袋１０が手袋保持手段３０から離脱すると、付勢手段４０の付勢力により、次の手袋１０がロッド先端部３１ｂに接する定位置を取るようになる。そこで次は、使用者がその手袋１０を上記と同様にして装着可能となる。
【００５９】
本実施形態で用いられる手袋１０は前述した通り、右手に良く適合する形状とされたものであるが、左手に装着することも可能である。これは、親指部１０Ｐと人差指部１０Ｉの間の谷部Ｖ１と、薬指部１０Ａと小指部１０ＣＨの間の谷部Ｖ４の手袋長手方向に関する位置の偏位量（Ｌ１−Ｌ２）が、中指部１０Ｍの全長に対して６．１％と、従来の手袋における値（小さくても２０％以上）よりも十分小さく設定されているからである。
【００６０】
上述のように手袋１０を左手にも装着するときの様子を図６に示す。図示の通りこの場合は、箱体２０が２個用意され、それぞれにおいて複数の手袋１０が吊り下げ保持される。これらの箱体２０は左右に並べて配置され、使用者から向かって右側の箱体２０が右手用とされ、左側の箱体２０が左手用とされる。手袋１０の吊り下げ保持状態は、どちらの箱体２０でも同じである。右手に対する手袋１０の装着は、先に述べた通りにして行われる。また左手に対する手袋１０の装着は、図６に示す左側の箱体２０の手袋１０に、掌を手前側にして左の手指を挿入することによってなされる。その場合も勿論、各手袋１０の外面に全く接触することなく、両手に手袋１０を装着することができる。
【００６１】
上述のようにして左手に手袋１０を装着すると、その親指部１０Ｐに小指が、人差指部１０Ｉに薬指が、中指部１０Ｍに中指が、薬指部１０Ａに人差指が、そして小指部１０ＣＨに親指が挿入されることになる。このような装着状態は、本来左手用として作製された手袋を左手に装着する場合と比べれば、当然、左手による作業をし難くするものである。しかし、手袋１０を両手に装着して行う作業の多くは、主に右手を使用して行われ、その際、左手は軽く添える程度に用いられるだけである。そのような作業においては、左手に右手用の手袋１０が装着されていても、特に深刻な問題は招かないのが通例である。
【００６２】
ここで、中指部１０Ｍの全長に対する前記偏位量の比率（Ｌ１−Ｌ２）／Ｌ４がより大きいほど、手袋１０は本来の形に近くなる。したがって、手袋１０を装着してなされる作業が、右手に依存する程度が高いほど、この比率を比較的大きく設定して右手の作業性を高めることが好ましい。具体的には、この比率を５〜１５％の範囲内に設定することが望ましい。
【００６３】
それに対して、手袋１０を装着してなされる作業が、右手を偏重しない場合、つまり両手に依存する程度がほぼ同等であるような場合は、一つの手の作業性が大きく損なわれないように、上記比率を比較的小さく設定することが好ましい。
【００６４】
以上、右手が利き手である場合を例に挙げて説明したが、左手が利き手である人を対象として、手袋を本来の左手用手袋に近い形に形成することも可能である。そうする場合も、上記比率（Ｌ１−Ｌ２）／Ｌ４を大きくするほど、左手の作業性を高めることができる。
【００６５】
次に、蓋体２２を揺動させて箱本体２１の開口２１Ｆ（図１参照）を開閉する操作について、図７〜図１０を参照して詳しく説明する。図７は蓋体２２が前述した開位置にある状態を、図８は蓋体２２が開位置から前述した閉位置に向かう途中の揺動位置にある状態を、そして図９は蓋体２２が閉位置にある状態をそれぞれ示す側面図である。また図１０は、蓋体２２の側板２２ａに形成されたピン係合溝２２Ｓの形状を詳しく示す側面図である。
【００６６】
図１０に示される通りピン係合溝２２Ｓは、箱本体２１の下側ピン２１Ｌを収容可能な保持溝２２ｆと、この保持溝２２ｆの上端から折れ曲がって延びた案内溝２２ｇとから構成されている。案内溝２２ｇは、その後端２２ｈが保持溝２２ｆの上端に繋がる形となっており、保持溝２２ｆの下端は、蓋体２２の側板２２ａの端部に開口している。前述したように箱本体２１に蓋体２２を組み合わせる際には、上記開口から上側ピン２１Ｈおよび下側ピン２１Ｌを保持溝２２ｆ内に収容させて、これらのピン２１Ｈおよびピン２１Ｌとピン係合溝２２Ｓとが係合される。また、案内溝２２ｇの保持溝２２ｆと反対側の端部は、上方つまり、蓋体２２の上板２２ｂ側に向かって若干曲がった誘い込み部２２ｋとされている。
【００６７】
図７に示すように、蓋体２２が前述した開位置に設定された際には、案内溝２２ｇの後端２２ｈが上側ピン２１Ｈに上方から当接し、そしてこの後端２２ｈよりも下の部分において保持溝２２ｆ内に下側ピン２１Ｌが入り込んだ状態となる。蓋体２２が開位置に設定された際には、蓋体２２にはその自重により、上側ピン２１Ｈの周りに図７中で反時計方向に回転させようとする力が作用する。しかしこの力は、保持溝２２ｆ内に入り込んだ下側ピン２１Ｌによって受け止められるので、開位置に設定された蓋体２２は、特に大きな外力が作用しない限り、その状態を確実に維持する。この状態では、箱本体２１と蓋体２２の各上部同士の間が開いていて、箱本体２１の開口２１Ｆが露出しているので、前述したように手袋１０を手袋保持手段３０に吊り下げ保持させる作業や、使用者が手に手袋１０を装着する作業を行うことができる。
【００６８】
蓋体２２および箱本体２１の上部に、使用者の手先を通すための開口を形成するために、以上の通り蓋体２２を揺動させるのであれば、従来装置のように跳ね上げ型の蓋体を操作して上記開口を形成する場合と異なって、跳ね上げ型の蓋体が邪魔になるようなことがない。また、そのような跳ね上げ型の蓋体が存在するために、手袋装着装置１の清掃等のメンテナンス作業が複雑化することも防止できる。
【００６９】
上記の各作業が終了して、箱本体２１の開口２１Ｆを閉じるために蓋体２２を前述した閉位置に設定しようとする場合は、図７の状態から、蓋体２２の上部が箱本体２１側に向かって押される。すると、図８に示すように、上側ピン２１Ｈを案内溝２２ｇの中で相対移動させつつ、蓋体２２が閉位置に向かって揺動する。このように揺動する際に蓋体２２は、案内溝２２ｇに係合した上側ピン２１Ｈ、および保持溝２２ｆに係合した下側ピン２１Ｌによって保持される。
【００７０】
以上のように押された蓋体２２は、最終的には図９に示す閉位置に設定され、この蓋体２２によって箱本体２１の開口２１Ｆが閉じられる。この状態下では、案内溝２２ｇの端部の誘い込み部２２ｋ内に上側ピン２１Ｈが入るので、蓋体２２は、誘い込み部２２ｋ内に上側ピン２１Ｈが入る直前の状態と比べて、微小長さ降下する。蓋体２２の高さ寸法は、こうして微小長さ降下した状態で、その上板２２ｂの内面が、箱本体２１の上板２１ｂの外面に接するようになる寸法に設定されている。
【００７１】
この状態下でも蓋体２２は、案内溝２２ｇの誘い込み部２２ｋに係合した上側ピン２１Ｈ、および保持溝２２ｆに係合した下側ピン２１Ｌによって保持される。そして特に、誘い込み部２２ｋに上側ピン２１Ｈが係合していることにより、蓋体２２を開位置側に動かそうとする外力が作用しても、その外力がある程度大きくなければ、蓋体２２はそのまま閉位置に維持される。したがって、例えば比較的弱い振動が蓋体２２に加わったり、あるいは、人が蓋体２２に軽い力を加えたりしても、蓋体２２が不用意に開いてしまうことが防止される。
【００７２】
図９に示す状態から、蓋体２２を図７に示す開位置に設定する場合は、蓋体２２の上部が図９中で左方に動かされる。この蓋体２２の上部を動かす力がある程度大きければ、誘い込み部２２ｋから案内溝２２ｇの直線部分に繋がる、案内溝２２ｇの上側の溝壁部分は容易に上側ピン２１Ｈを乗り越える。そしてそのまま蓋体２２の上部を動かせば、案内溝２２ｇ内を上側ピン２１Ｈが相対移動する図８の状態となり、蓋体２２を閉位置に向けて揺動させることができる。
【００７３】
なお、案内溝２２ｇの直線部分から連続する誘い込み部２２ｋの長さが大であるほど、蓋体２２は閉位置に維持され易くなる。つまり、振動等によって蓋体２２が開位置側に不用意に動いてしまうことが、より確実に防止され得る。しかしながら、誘い込み部２２ｋの長さが余りにも大であると、蓋体２２を揺動させるだけでは、上記溝壁部分が上側ピン２１Ｈを乗り越えることは困難になる。したがって、この乗り越えを実現するために、蓋体２２を揺動させる前に、該蓋体２２を一度上に持ち上げるような操作が必要になる。
【００７４】
そのような操作を不要とするために、誘い込み部２２ｋは余りにも長くない、適切な長さとするのが望ましい。一般的には、上側ピン２１Ｈが円柱状である場合、その外径をＤとすると、誘い込み部２２ｋの長さは０．５Ｄ程度、長くてもＤ程度とするのが望ましい。誘い込み部２２ｋの長さが０．５Ｄの場合、上側ピン２１Ｈは外径の半分程度が上側ピン２１Ｈ内に入り込むことになる。つまりその場合は、蓋体２２が前述したように閉位置に設定された際に、該蓋体２２が降下する距離は０．５Ｄとなる。誘い込み部２２ｋの長さがＤの場合は、上記の降下する距離はＤとなる。また、上記の乗り越えを容易化するために、誘い込み部２２ｋから案内溝２２ｇの直線部分に繋がる、案内溝２２ｇの上側の溝壁部分は、急に折れ曲がる形状とはしないで、円弧の一部を描いて緩やかに曲がる形状とするのが望ましい。
【００７５】
本実施形態の手袋装着装置１においてはピン係合溝２２Ｓが、保持溝２２ｆと案内溝２２ｇとが繋がった１本の溝とされている。そして保持溝２２ｆは、蓋体２２の側板２２ａの下端に開口している。そこで蓋体２２は、保持溝２２ｆおよび案内溝２２ｇ内で上側ピン２１Ｈおよび下側ピン２１Ｌを相対移動させながら、簡単に箱本体２１から取り外すことが可能となっている。それにより、箱本体２１および蓋体２２の清掃等のメンテナンス作業が容易になされ得るようになる。
【００７６】
なお、以上説明した手袋装着装置１においては、前述した通りの付勢手段４０が設けられているが、このような付勢手段４０は適宜省かれてもよい。すなわち、ロッド３１の中間部３１ｃを、基端部３１ａから先端部３１ｂに向かって次第に低くなるように傾斜させておけば、中間部３１ｃに保持された複数の手袋１０が重力によって先端部３１ｂ側に移動して、常に、最も手前側の手袋１０が先端部３１ｂに接する定位置を取るようになる。
【００７７】
ここで、蓋体２２に形成されるピン係合溝２２Ｓの変形例について、図１２を参照して説明する。なおこの図１２において、図１〜図９に示したものと同等の要素には同じ参照番号を付してあり、それらについては特に必要の無い限り説明を省略する（以下、同様）。図１２に示すピン係合溝２２Ｓは、以上説明した保持溝２２ｆと案内溝２２ｇとが繋がらずに、互いに独立した２つの溝となっているものである。保持溝２２ｆおよび案内溝２２ｇは、その点以外は図７〜図９に示したピン係合溝２２Ｓと同様に形成されており、したがって、この変形例のピン係合溝２２Ｓを適用する場合も、基本的に、第１実施形態におけるのと同様の効果を得ることができる。
【００７８】
ただしこの変形例においては、保持溝２２ｆと案内溝２２ｇとが繋がってなく、また保持溝２２ｆが蓋体２２の端部に開口してもいないので、前述したように蓋体２２を簡単に箱本体２１から取り外すことは困難である。この蓋体２２の取外しを容易化するためには、上側ピン２１Ｈおよび下側ピン２１Ｌを箱本体２１に対して、前述の袋ナット等を用いて固定するようにし、その袋ナット等を緩める等により、上側ピン２１Ｈおよび下側ピン２１Ｌを箱本体２１から簡単に取り外せるようにしておくことが望ましい。
【００７９】
次に、ピン係合溝２２Ｓのさらに別の変形例について図１３を参照して説明する。図１３に示すピン係合溝２２Ｓも、保持溝２２ｆと案内溝２２ｇとが互いに独立した２つの溝となっているものである。保持溝２２ｆは、その上端が上から下側ピン２１Ｌに当接するように形成されている。また案内溝２２ｇは、その上端および下端が、下側ピン２１Ｌの中心を中心とする円弧の一部をなす形状とされたものである。そこで蓋体２２は、常に下側ピン２１Ｌによって下方から受け止められた状態で、この下側ピン２１Ｌを軸として揺動可能となっている。このように蓋体２２が揺動する際、上側ピン２１Ｈは案内溝２２ｇ内を相対移動する。こうして蓋体２２の揺動が、上側ピン２１Ｈおよび案内溝２２ｇによって案内される。
【００８０】
この変形例においても、保持溝２２ｆと案内溝２２ｇとが繋がっていないので、前述したように蓋体２２を簡単に箱本体２１から取り外すことは困難である。ただし本例では、先に説明した変形例とは異なって、保持溝２２ｆが蓋体２２の端部に開口している。そこで、蓋体２２の取外しを容易化するためには、上側ピン２１Ｈだけを箱本体２１に対して取外し自在としておけばよい。そして上側ピン２１Ｈを取り外したならば、蓋体２２を少し上方に動かして、保持溝２２ｆを下側ピン２１Ｌから外すようにすればよい。
【００８１】
次に、本考案の第２実施形態による手袋装着装置について説明する。図１１は、本考案の第２実施形態による手袋装着装置２の斜視形状を示すものである。本実施形態の手袋装着装置２は、第１実施形態の手袋装着装置１と対比すると、基本的に、箱体の構造のみが異なるものである。すなわち本実施形態においては、一体的に形成された箱本体１２１と蓋体１２２とから箱体１２０が構成されている。これらの箱本体１２１および蓋体１２２は、一例として合成樹脂から形成されている。
【００８２】
箱本体１２１は、第１実施形態における箱本体２１とほぼ同様の左右一対の側板２１ａ、それらの上端同士を繋ぐ上板２１ｂ、側板２１ａの下端同士を繋ぐ底板２１ｃ、背板２１ｄ、および吊り下げ用孔２１ｆを有している。また、前面は大きく開かれて開口２１Ｆが形成されている点も、第１実施形態におけるのと同様である。そこで図１１において、箱本体１２１が有する以上の要素については図１中と同じ番号を付し、それらについての説明は、特に必要の無い限り省略する。ただしこの箱本体１２１は、第１実施形態における箱本体２１とは異なって、比較的大きな前板２１ｇを備えており、この前板２１ｇに繋げて蓋体１２２が形成されている。
【００８３】
蓋体１２２は、左右一対の側板１２２ａ、それらの上端同士を繋ぐ上板１２２ｂ、および背板１２２ｄから構成されている。そして背板１２２ｄは、上記箱本体１２１の前板２１ｇと折り曲げ部１２２ｆを介して繋がっている。またこの蓋体１２２の前面（箱本体１２１側の面）は大きく開かれている。蓋体１２２は、直線状に延びる折り曲げ部１２２ｆを揺動軸として、図中の矢印Ｒで示す方向に揺動可能となっている。
【００８４】
本実施形態でも、第１実施形態に用いられたものと同様の手袋保持手段３０、すなわち図２および図３に示す手袋保持手段３０が適用され、この手袋保持手段３０は箱本体１２１内に取り付けられている。
【００８５】
なお本実施形態の手袋装着装置２が取り扱う手袋１０は、先に述べた通りの小さな貫通孔１２ｂが３個横に並べて設けられたものである。それに対応して手袋保持手段３０も、ロッド３１を３本有する構成とされている。手袋１０は、それらの貫通孔１２ｂに各々ロッド３１が通るようにして、手袋保持手段３０に吊り下げ保持される。手袋１０の材料が比較的薄くて強度が低いような場合は、手袋装着作業時に手袋１０を不用意に貫通孔１２ｂの部分から破ってしまうことを防止する上で、手袋１０を３本のロッド３１に吊り下げ保持する方が、２本のロッド３１に吊り下げ保持するよりも好ましい。なお、図１に示した第１実施形態の手袋装着装置１でも、３本のロッド３１を有する構成を採用可能である。反対に、この第２実施形態の手袋装着装置１において、２本のロッド３１を有する構成が採用されても構わない。
【００８６】
図１１は、上記のように揺動可能な蓋体１２２が、開位置に設定された状態を示している。この状態下では、蓋体１２２の上部と箱本体１２１との間に、使用者の手先が通過し得る挿入開口が形成される。そこで装置使用者は、第１実施形態におけるのと同様にこの挿入開口から手先を挿入して、複数の手袋１０を手袋保持手段３０（図２および図３参照）に吊り下げ保持させる作業や、手袋１０を手に装着する作業を行うことができる。
【００８７】
図１１に示す状態から、蓋体１２２を箱本体１２１の開口２１Ｆ側に向けて揺動させると、最終的に蓋体１２２の一対の側板１２２ａと、箱本体１２１の一対の側板２１ａとが面一の状態となって、箱本体１２１の開口２１Ｆが閉じられる。このときの蓋体１２２の揺動位置が、閉位置となる。図１１では特に示していないが、この蓋体１２２が閉位置にある状態は、公知の手段によって維持させることが可能である。例えば、蓋体１２２の上板１２２ｂと、箱本体１２１の上板２１ｂに各々磁石を固定しておき、それらの磁石の吸着によって蓋体１２２を閉位置に保つことができる。さらには、蓋体１２２の各側板１２２ａの内面に板状部材を固定しておき、蓋体１２２が閉位置に設定されると、その板状部材が箱本体１２１の各側板２１ａの内面と摩擦係合するようにして、蓋体１２２を閉位置に保つことができる。
【００８８】
本実施形態の手袋装着装置２でも、蓋体１２２および箱本体１２１の上部に、使用者の手先を通すための開口を形成するために、以上の通り蓋体１２２を揺動させている。そうであれば、従来装置のように跳ね上げ型の蓋体を操作して上記開口を形成する場合と異なって、跳ね上げ型の蓋体が邪魔になるようなことがない。また、そのような跳ね上げ型の蓋体が存在するために、手袋装着装置２の清掃等のメンテナンス作業が複雑化することも防止できる。
【００８９】
以上説明した第２実施形態では、箱本体１２１および蓋体１２２が合成樹脂から形成されているが、箱本体１２１および蓋体１２２はその他の材料、例えば厚紙や金属板等を用いて形成することも可能である。
【符号の説明】
【００９０】
１、２    手袋装着装置
１０    手袋
１１    手袋の掌側部分
１２    手袋の甲側部分
１３    手袋の開口部
２０、１２０    箱体
２１、１２１    箱本体
２１ａ  箱本体の側板
２１ｂ  箱本体の上板
２１ｃ  箱本体の底板
２１ｄ  箱本体の背板
２１ｆ  吊り下げ用孔
２１ｇ  箱本体の前板
２１Ｆ  箱本体の開口
２１Ｈ  上側ピン
２１Ｌ  下側ピン
２２、１２２    蓋体
２２ａ、１２２ａ  蓋体の側板
２２ｂ、１２２ｂ  蓋体の上板
２２ｄ、１２２ｄ  蓋体の背板
２２ｆ  保持溝
２２ｇ  案内溝
２２ｈ  案内溝の後端
２２ｋ  誘い込み部
２２Ｓ  ピン係合溝
３０    手袋保持手段
１２２ｆ  折り曲げ部
【図１】
0003207924.tif 000003
【図２】
0003207924.tif 000004
【図３】
0003207924.tif 000005
【図４】
0003207924.tif 000006
【図５】
0003207924.tif 000007
【図６】
0003207924.tif 000008
【図７】
0003207924.tif 000009
【図８】
0003207924.tif 000010
【図９】
0003207924.tif 000011
【図１０】
0003207924.tif 000012
【図１１】
0003207924.tif 000013
【図１２】
0003207924.tif 000014
【図１３】
0003207924.tif 000015